(57)【特許請求の範囲】
【請求項１】
下水処理設備における下水処理槽から掻き揚げられたし渣を次工程に圧送するための、前記し渣が投入される中間ホッパーを有する圧送装置と、前記中間ホッパー内のし渣を押込むための押込み機とを備えたし渣搬送設備において、
前記押込み機は、前記中間ホッパー内においてその上端を中心として揺動可能になっていて、前記押込み機は、その上昇、揺動、押込み動作を順次繰り返し行うことを特徴とするし渣搬送設備。
【発明の詳細な説明】
【０００１】
【発明の属する技術分野】
この発明は、し渣搬送設備、特に、下水処理設備における沈砂池等の下水処理槽から除塵機によって掻き揚げられ、集合されたし渣を、次工程まで圧送装置によって圧送する際に、圧送装置の中間ホッパー内で発生するし渣のブリッジを、し渣の性状によらず確実に崩壊させることができるし渣搬送設備に関するものである。
【０００２】
【従来の技術】
通常、汚水や雨水（以下、これらを総称して下水という）は、下水処理設備の下水処理槽としての沈砂池に送られ、ここで下水中の砂分およびし渣（木片、紙片、ビニール片、布片、枯葉等の下水中の浮遊物）が除去された後、例えば、河川に放流されるか、次の処理工程に送られる。
【０００３】
以下に、従来のし渣搬送方法を、図面を参照しながら説明する。
【０００４】
図２は、下水処理設備における沈砂池部分を示す部分概略平面図、図３は、沈砂池に設置された除塵機を示す概略正面図、図４は、従来のし渣搬送設備を示す部分概略正面図、図５は、ピストンポンプを示す概略断面図である。
【０００５】
図２から図５において、１は、下水を緩慢に流し、この流れの過程で下水中の砂分を沈降させて除去するための沈砂池である。沈砂池１は、地下に複数列（この例では、５列）、平行に設置されている。１Ａは、下水の流入口であり、１Ｂは、下水の排水口である。２は、各沈砂池１の下流側に設置された、下水中のし渣３を沈砂池１外に掻き揚げるための除塵機である。除塵機２は、図３に示すように、沈砂池１の幅方向に亘って設けられたスクリーン４の上流側に設置され、モーター５によりエンドレスに周回する、下水中のし渣３を沈砂池１外に掻き揚げるためのスクレーパー６を有している。
【０００６】
７は、除塵機２によって掻き揚げられたし渣３を集合し、後述する圧送装置まで搬送するためのし渣搬送用コンベアである。し渣搬送用コンベア７は、各除塵機２によって掻き揚げられたし渣３を集合するための第１コンベア８と、第１コンベア８により集合されたし渣を前記圧送装置まで搬送するための第２コンベア９とからなっている。第１および第コンベア８、９は、チェーンコンベア、ベルトコンベア、フライトコンベア等からなっている。
【０００７】
１０は、コンベア７によって搬送されたし渣３を、地上のし渣貯留ホッパー１１まで圧送するためのピストンポンプからなる圧送装置である。
【０００８】
ピストンポンプは、図５に示すように、油圧機構によって往復動するプランジャー１２と、投入されたし渣３がプランジャー１２によって前進搬送されるチャンバー１３と、チャンバー１３を開閉するゲートバルブ１４とを有しており、プランジャー１２の往復動とゲートバルブ１４の開閉によって、中間ホッパー１５からチャンバー１３内に送り込まれたし渣３を、管路１６を通じて、地上のし渣貯留ホッパー１１まで間欠的に搬送する。ピストンポンプは、搬送物を搬送経路によらず確実に搬送できる利点を有している。
【０００９】
１７は、中間ホッパー１５に設けられたし渣押込み機である。押込み機１７は、押込みロッド１８が進退することによって、中間ホッパー１５内のし渣３を押込んでし渣３のブリッジを崩壊させるものである。
【００１０】
このように構成されている、従来のし渣搬送設備によれば、し渣は、以下のようにしてし渣貯留ホッパーまで搬送される。
【００１１】
下水は、流入口１Ａから各沈砂池１に流入し、沈砂池１を緩慢に流れる。この流れの過程で、下水中の砂分２０は沈降し、沈砂池１の底部のピット１Ｃに堆積する。ピット１Ｃに堆積した砂分２０は、定期的に掻揚げ機（図示せず）によって沈砂池１外に掻き揚げられる。下水が沈砂池１の下流側まで流れると、下水中のし渣３は、除塵機２のスクレーパー６によって掻き揚げられる。このようにして、砂分２０およびし渣３が除去された下水は、排水口１Ｂから、例えば、河川に放流されるか、次の処理工程に送られる。
【００１２】
一方、各除塵機２によって掻き揚げられたし渣３は、第１および第２コンベア８、９によって、圧送装置１０まで搬送され、そして、圧送装置１０によってし渣貯留ホッパー１１まで圧送される。し渣貯留ホッパー１１内のし渣３は、例えば、焼却炉に搬送され、焼却処理される。
【００１３】
【発明が解決しようとする課題】
しかしながら、上述した従来のし渣搬送設備は、次のような問題を有していた。即ち、図５に示すように、し渣３が圧送装置１０の中間ホッパー１５内においてブリッジを形成すると、プランジャー１２が後退してもチャンバー１３内にし渣３が入らず、圧送装置１０は空運転状態となる。このときに、押込み機１７を作動させて、押込みロッド１８を進退させても、し渣３の性状（例えば、硬いし渣）によっては、押込みロッド１８は、同じ場所を往復動するのみで、し渣３の崩壊させることができなかった。従って、押込み機１７を作動させても、し渣３は、全くし渣貯留ホッパー１１に圧送されなくなる。
【００１４】
従って、この発明の目的は、下水処理設備における沈砂池等の下水処理槽から除塵機によって掻き揚げられ、集合されたし渣を、次工程まで圧送装置によって圧送する際に、圧送装置の中間ホッパー内で発生するし渣のブリッジを、し渣の性状によらず確実に崩壊させることができるし渣搬送設備を提供することにある。
【００１５】
請求項１記載の発明は、下水処理設備における下水処理槽から掻き揚げられたし渣を次工程に圧送するための、前記し渣が投入される中間ホッパーを有する圧送装置と、前記中間ホッパー内のし渣を押込むための押込み機とを備えたし渣搬送設備において、前記押込み機は、前記中間ホッパー内においてその上端を中心として揺動可能になっていて、前記押込み機は、その上昇、揺動、押込み動作を順次繰り返し行うことに特徴を有するものである。
【００１６】
【発明の実施の形態】
この発明のし渣搬送設備の一実施態様を、図面を参照しながら説明する。
【００１７】
図１は、この発明のし渣搬送設備を示す部分概略断面図である。
【００１８】
この発明は、図２に示すような下水処理設備における下水処理槽から掻き揚げられたし渣３を圧送装置１０の中間ホッパー１５に投入し、中間ホッパー１５内のし渣３を、圧送装置１０に取り付けられた押込み機１７によって、次工程、即ち、し渣貯留ホッパー１１まで圧送するし渣搬送設備において、シリンダーによって押込みロッド１８が進退する押込み機１７をその上端を中心として揺動自在とすることによって、中間ホッパー１５内で発生するし渣３のブリッジをし渣３の性状によらず完全に崩壊するものである。押込み機１８の揺動手段は、例えば、図１に示すように、ショートストロークの揺動用シリンダー１９からなっている。
【００１９】
この発明によれば、以下のようにして、し渣３がし渣貯留ホッパー１１まで圧送される。
【００２０】
例えば、管路６の出側に設けたし渣検出手段（図示せず）によって、所定時間、し渣３が検出されなかった場合には、押込み機１７を作動させる。この場合、押込みロッド１８、プランジャー１２およびシリンダー１９の作動の順序は、以下の通りである。
【００２１】
押込みロッド１８が下がる→プランジャー１２が前進すると共に押込みロッド１８が上がる→プランジャー１２が後退する→揺動用シリンダー１９が伸びる→押込みロッド１８が下がる→プランジャー１３が前進すると共に押込みロッド１８が上がる→プランジャー１２が後退する→揺動用シリンダー１９が縮む→再度、押込みロッド１８が下がる。以上の動作が繰り返し行われる。
【００２２】
このように、押込みロッド１８は、従来のように、単純に往復動を繰り返すのではなく、押込み機１７の上端を中心として揺動しながら、往復動を繰り返すので、即ち、一回押込む毎に角度を変えるので、し渣３のブリッジは、し渣３の性状によらず完全に崩壊する。
【００２３】
なお、中間ホッパー１５上に給水機（図示せず）を設置して水を中間ホッパー１５内に供給すれば、し渣３のブリッジの崩壊が更に促進される。この場合、押込み機の作動と給水機１５の作動とを連動すれば、ブリッジ崩壊の確実性と節水化が図れる。
【００２４】
【発明の効果】
以上説明したように、この発明によれば、中間ホッパーに設けた押込み機を揺動させながら、押込みロッドを進退させることによって、圧送装置の中間ホッパー内で発生するし渣のブリッジを、し渣の性状によらず確実に崩壊させることができるといった有用な効果がもたらされる。
【図面の簡単な説明】
【図１】この発明のし渣搬送設備を示す部分概略断面図である。
【図２】下水処理設備における沈砂池部分を示す部分概略平面図である。
【図３】沈砂池に設置された除塵機を示す概略正面図である。
【図４】従来のし渣搬送設備を示す部分概略正面図である。
【図５】ピストンポンプを示す概略断面図である。
【符号の説明】
１：沈砂池
１Ａ：流入口
１Ｂ：流出口
１Ｃ：ピット
２：除塵機
３：し渣
４：スクリーン
５：モーター
６：スクレーパー
７：コンベア
８：第１コンベア
９：第２コンベア
１０：圧送装置
１１：し渣貯留ホッパー
１２：プランジャー
１３：チャンバー
１４：ゲートバルブ
１５：中間ホッパー
１６：管路
１７：押込み機
１８：押込みロッド
１９：シリンダー
２０：砂分
【図１】
0003606093.tif 000002
【図２】
0003606093.tif 000003
【図３】
0003606093.tif 000004
【図４】
0003606093.tif 000005
【図５】
0003606093.tif 000006